(57)【特許請求の範囲】
【請求項１】
底面部とその両側の側面部とを一体形成した適宜深さと長さを有するＵ字状の本体を形成し、
本体の長手方向に開放された両端を互いに連接して２以上の本体を順次連接するものであって、
本体の一方の端部に排出孔を形成し、もう一方の端部にあって前記排出孔より低い位置に供給孔を形成し、
さらに本体には隣接する本体の排出孔を遮蔽する遮蔽部を形成したことを特徴とする隔離床栽培用プランター。
【請求項２】
本体は合成樹脂により形成され、
排出孔は底面部表面に形成されている長手方向と直交する溝と連通しており、
遮蔽部は倒略L字型であって、その一つの壁が隣接する本体の前記溝の上方を覆うとともに、
前記壁に続く垂下壁と、隣接する本体の前記溝の壁面との間に溝の内部と連通する液通路が形成されていることを特徴とする請求項１に記載の隔離床栽培用プランター。
【請求項３】
底面部表面の長手方向に溝が形成され、
該溝は、一方の端部にある供給孔側よりも、もう一方の端部にある排出孔側が高くなるように長手方向に傾斜していることを特徴とする請求項１又は２のいずれかに記載の隔離床栽培用プランター。
【発明の詳細な説明】
【技術分野】
【０００１】
本発明は、隔離床栽培用プランターに関する。特に連接して縦長のプランターを形成し、養液や水などの循環を円滑にすることができるものである。
【背景技術】
【０００２】
合成樹脂を素材とする溝状のプランターであって、連接手段によって連接して使用する先行技術は存在していた（例えば、特許文献１参照）。
しかし、特許文献１にかかる発明は養液や水を排出する排出孔に土砂が流出するので、円滑な供給、排出を実現するものではなかった。
また、栽培容器を上下に積み上げて水のオーバーフローを利用して、循環させる先行技術も存在した。（例えば特許文献２参照）
しかし、かかる先行技術も水や養液の円滑な供給、排出を実現するものではなかった。
【０００３】
【特許文献１】特開２００５−２４５２６４号公報（第１頁、第１図）
【特許文献２】登録実用新案第３００５６６４号公報（第１頁、第１図）
【発明の開示】
【発明が解決しようとする課題】
【０００４】
本発明は、適宜連接して適宜長さにすることができるものであって、養液や水の供給、排出を土壌の下から吸い上げるようにし、しかも、土砂などが排出孔や液管に流入して詰ったりすることのなく、養液や水の供給排出を円滑にする隔離床栽培用プランターを提供することを目的とするものである。
また、被栽培物の上方から養液や水を供給すると、土が跳ね返って被栽培物の葉等に付着することが多い。この土にある菌により被栽培物がウイルス感染して、枯れてしまうことがある。計画的栽培のために、かかる感染を防止する必要がある。
また、養液や水を土壌より吸い上げる方式とすると、養液が古くなり、かえって被栽培物に悪影響を及ぼす。そこで、養液や水の循環を円滑にする必要がある。
【０００５】
特に、現在行われている農業プラントでは、養液や水の供給、配分をコンピューター管理している。養液や水の供給を管理して被栽培物の成長度合いを調整し、出荷安定に資するためである。
つまり、被栽培物の必要な養分のデータを用い、供給される養液の養分や排出される養分を把握し、日照の度合いなどを考慮して適宜必要な養液や水の供給、排出に努める必要がある。
これにより、従来の悪天候による自然的な不作現象を著しく減少させて、被栽培物を安定して成長させることができる。
また、プランターの管理も正確にすべく、土砂などの排出孔からの流出を防止して液管詰まりを防ぎ、養液や水の供給と排出を円滑するプランターが必要となる。
【課題を解決するための手段】
【０００６】
そこで、本発明では、底面部とその両側の側面部とを一体形成した適宜深さと長さを有するＵ字状の本体を形成し、本体の長手方向に開放された両端を互いに連接して２以上の本体を順次連接するものであって、本体の一方の端部に排出孔を形成し、もう一方の端部にあって前記排出孔より低い位置に供給孔を形成し、さらに本体には隣接する本体の排出孔を遮蔽する遮蔽部を形成したことを特徴とする。
【０００７】
また、本体は合成樹脂により形成され、排出孔は底面部表面に形成されている長手方向と直交する溝と連通しており、遮蔽部は倒略L字型であって、その一つの壁が隣接する本体の前記溝の上方を覆うとともに、前記壁に続く垂下壁と、隣接する本体の前記溝の壁面との間に溝の内部と連通する液通路が形成されていることが好ましい。
【０００８】
また、底面部表面の長手方向に溝が形成され、該溝は、一方の端部にある供給孔側よりも、もう一方の端部にある排出孔側が高くなるように長手方向に傾斜していることことが好ましい。
【発明の効果】
【０００９】
請求項１に記載する発明により、容易に本体を連接することができる。これでプラントやビニールハウス内で使用する適宜長さの栽培場とすることができる。しかも、連接した状態で、養液や水を供給、排出することが可能になる。
供給孔から供給された養液や水は、土壌の下方に通り、排出孔から排出される。このように土壌の下方に供給された養液や水が、毛細管現象により吸い上げられて被栽培物に供給される。このような下方から吸い上げられる養液供給方法によると、被栽培物の上方から養液や水を供給した場合に土の跳ね返りによって菌が葉などに付着することを防止することができる。
また、連接手段と組み合わせて遮蔽部を形成することにより、簡易な手段で遮蔽部が土壌や土砂の排出を防止し、液管の詰りなども防止するとともに、容易に本体を連接することができる。
【００１０】
また、請求項２に記載する発明により、排出孔が供給孔より高い位置に形成されていることで、養液や水のオーバーフローで排出する。この排出孔の周辺に遮蔽部を形成することにより、土砂の排出孔への流入を防ぎ、円滑な養液や水の供給、排出をしながら、排出孔や液管を土砂で詰らせることない。
【００１１】
また、請求項３に記載する発明により、供給孔側から排出孔側にかけて高く底面部表面の溝が形成されていることによって、ポンプから一定の水圧をかけて養液や水を供給するプランターにおいて、本体内の養液量を一定水量に保つことができる。その反面、養液や水の供給を止めて、養液や水を本体から全て排出する場合、低い位置にある供給孔より排出が可能になる。
よって、古くなった養液や水を本体に溜めることなく排出も円滑に行うことができる。古くなった養液や水によって土壌や被栽培物が悪影響を及ぼされることを防ぐことができる。
【発明を実施するための最良の形態】
【００１２】
本発明の実施の一例を図面に沿って説明する。
図１は本発明の一例を示す斜視図、図２は本体の底面部のみの断面図、図３と図４は本体１を連接した状態を示す遮蔽部付近のみの拡大断面図である。図５、図６、図７は本体１の拡大断面図、図８は本体１を連接した状態を示す斜視図である。
本発明は本体１を連接し、円滑に養液や水を供給、排出させて栽培の効率化に資するものである。供給、排出の対象は養液だけでなく、水でもよい。
【００１３】
本発明の隔離床栽培用プランターの必要性について説明する。
本発明のプランターは特に農場プラントで計画的栽培を行う場合に特に必要となる。本体１は溝状となっており、これを連接して適宜長さのプランターとする。本体１には各々供給孔２７、排出孔２８が形成され、各本体が連接された状態で養液４３や水の供給、排出が可能となる。
しかも、従来のように被栽培物の上方から養液や水を供給していては、土の跳ね返りにより土の菌が被栽培物に付着して悪影響を及ぼす。土壌の下方に養液を供給することで、毛細管現象による被栽培物への供給され、上記の悪影響を防止することができる。また、土の菌の付着を防止することで農薬の使用を控えることができる。
このように、養液を土壌の下方に供給することは被栽培物の安定成長にとって、必要な供給手段である。
【００１４】
また、農場プラントでは特に養液４３の供給、排出について詳細な管理が行われる。被栽培物の必要な養分のデータを用い、供給される養液の養分や排出される養分を把握し、日照の度合いなどを考慮して適宜必要な養液や水の供給、排出に努める必要がある。また、例えば、被栽培物の生育に応じて養液の濃度を変更したり、一日の異なる時間に養液４３を供給したり、様々な方法がある。このような栽培方法により被栽培物の安定な成長、出荷が可能となる。
そのために、養液４３や水の供給が円滑になされ、液管に土砂が詰ったりせず、古くなった養液の排出が容易に行うことができるプランターが必要となる。
本発明はこれに適した本体１による隔離床栽培用プランターを提供する。
【００１５】
本体１について説明する。
図１に示すように、本体１は、底面部２と側面部３、３により形成されている。本体は適宜な長さと深さを有し、長手方向の両端は開放されたＵ字状に形成される。底面部表面までの深さは４２８ｍｍ、本体の長手方向の長さは１０５５ｍｍであるが、これに限定されるものではない。
本実施例における本体はポリオレフィン系の合成樹脂により形成される。底面部２の裏面には底リブ４が形成されている。
Ｕ字形状の本体１は側面部３、３の内側に複数の傾斜面８が形成されている。また、側面部３、３の上端には外側方向に屈曲する張出部９、９を有している。張出部９、９は使用する場合に取手となる把持部分としての機能を有する。
【００１６】
本体１の長手方向の一方端部は連接雄部５、５を形成し、もう一方の端部は連接雌部６、６を形成する。連接雄部５、５は、連接雌部６、６の内面に接して嵌まり合うようにして一段凹ませたように形成されている。これにより連接雄部５、５を連接雌部６、６に嵌め合わせることができ、張出部９、９が左右とも面一となる状態で複数の本体１を順次連接することが可能になる。本プランターの使用者は自己のプラントやビニールハウスの広さにあわせて適宜長さになるように本体１を順次連接して使用する。連接した複数の本体の両端は図８に示すように、側壁７、７を設けて土砂や被栽培物が崩れ落ちることを防止する必要がある。
図８に２つの本体１を互いに連接したうえで、長手方向の２つの開口部に側壁７、７を設置した状態を示す。なお、側壁７、７は破線で示している。
【００１７】
連接雌部６、６がある本体１の一方の端部には遮蔽部１０が形成されている。遮蔽部１０は断面が倒略Ｌ字型であって、垂直壁２１、横壁２２、垂下壁２３により形成される。
図２に示すように、垂直壁２１と、該垂直壁２１に連続して水平状の横壁２２が本体１の長手方向に形成され、さらに、垂下壁２３が横壁２２に連続して形成される。垂下壁は垂直方向でなく、約１０度程度、水平方向外側に傾斜させた方向に形成されている。
垂直壁２１、横壁２２、垂下壁２３に囲まれた部分は開放されており、開放部２４を形成する。
また、垂下壁２３は、プランター使用時において少なくとも本体１の底面部２の表面にスノコなどの土壌支持体２５を載置することができるような高さになるように形成する。図４に示すように、本プランター使用時には、土壌支持体２５を底面部２の表面に載置し、土壌支持体２５上に栽培用の土壌４２を入れる。
【００１８】
遮蔽部１０付近の側面部３には供給孔２７が開孔され、該供給孔２７から本体１の長手方向に直交する方向にかけて供給溝２６が連続して形成されている。図７に示すように、供給溝２６は、供給孔２７の開口している方が低くなるよう傾斜するように形成されている。
連接雄部５がある本体１の一方の端部には、側面部３に排出孔２８が形成され、該排出孔２８から本体１の長手方向に直交する方向にかけて排出溝２９が連続して形成されている。図６に示すように、排出溝２９は、排出孔２８の開口している方が低くなるよう傾斜するように形成されている。
【００１９】
さらに、図５に示すように、本体１の幅方向の中心付近に、本体１の長手方向にかけて、中央溝３０が形成されている。中央溝は本体１の長手方向に形成されている。
本実施例は幅方向の中心付近にあるので中央溝とするが、長手方向に形成されておれば幅方向中心付近でなくともよい。
図２〜図４に示すように、排出孔２８は供給孔２７より高い位置に開けられている。両者の孔の直径はほぼ同径としてある。
なお、本実施例において、供給孔の下端より排出孔の下端が高い位置にある。しかも、供給孔２７の下端より排出孔２８の下端が高い位置にあるだけでなく、底面部２の表面や中央溝３０より排出溝２９が一段高く形成され、遮断壁３１により仕切られている。
なお、排出孔２８と供給孔２７の下端はいずれも垂下壁２３の下方端よりも低い位置にある。排出孔２８と供給孔は本体の下方に位置する。土壌を土壌支持体２５に載せ、その下方に養液４２や水を供給させるためである。
供給孔２７、排出孔２８には側面部３の外側からともに液管４１が取り付けられている。図示しないが、液管４１はそれぞれ供給槽、排出槽に続いており、供給槽に貯められた養液４３や水を供給孔２７、供給溝２６を経て本体１内に供給し、本体１を循環した養液４３や水は、排出溝２９、排出孔２８、液管４１を経て、排出槽に排出される。
【００２０】
底面部２の表面に形成されている中央溝３０は、供給孔２７が位置する方よりも、排出孔２８が位置する方が順次高くなるように傾斜させてある。図２に示すように、傾斜は比較的緩やかとなっている。実施例は傾斜角を２度程度とした場合を例示してある。但し、傾斜角はこれに限定されない。
なお、図５に示すように、中央溝３０は底面部から一段、窪んだ溝となるように形成されている。
【００２１】
このような本体１の形状は、排出孔２８が供給孔２７より高い位置にあるので、養液４３や水を供給孔２７から供給したときに一定の水深まで養液４３や水が溜まらなければ排出されない。しかも、中央溝３０は排出孔２８の位置する方が供給孔２７の位置する方よりも高くなるように傾斜しているので、一定の水圧を付加して養液４３や水を供給する。
本体１に養液や水を供給して本プランターを使用した後、本体から養液を完全に抜くときには、排出孔２８だけでなく、供給孔２７からも排出することができ、ごく少量の養液４３や水であっても供給溝２６、排出溝２９、中央溝３０がそれぞれ上述したように、傾斜して形成されることにより、供給孔２７からの養液４３や水の導出が容易となる。したがって、本体１からの養液４３や水の排出を容易に実施できる。
【００２２】
長手方向に直交する方向の排出溝２９は、図３、図４に示すように、底面部の表面に対して一段高く形成され、その側方に遮断壁３１が形成されている。
本体１の底面部２の表面や中央溝３０と排出溝２９とは遮断壁３１により遮断されている。よって、底面部２表面や中央溝３０から排出溝２９側へ圧送される養液４３や水はオーバーフローにより遮断壁３１を乗り越えないと排出溝２９、排出孔２８から排出されない。
遮断壁３１は図６に示すように、凹凸が連続して形成されている。なお、凹凸の凹んでいる箇所が中央溝３０と一直線上に来るように形成されることが好ましい。
図３は本体１の底面部２上に土壌支持体２５を載置し、養液４３や水を供給した状態を示し、図４は本体１の底面部２上に土壌支持体２５を載置し、土壌４２を入れた上で、養液４３や水を供給し、被栽培物４４を配置した状態を示す。
【００２３】
図３に示すように、複数の本体１を連接した場合、開放部２４内に排出孔２８、排出溝２９、遮蔽壁３１を嵌り合うように位置させることができる。つまり、連接時に遮蔽部１０が排出孔２８、排出溝２９、遮断壁３１を覆う。
これにより、供給孔２７から供給された養液４３や水が垂下壁２３の下側から開放部２４内に流入し、されに遮断壁３１をオーバーフローして排出溝２９に流出して排出孔２８から排出される液通路３２を形成する。しかし、垂下壁２３と土壌支持体２５により排出溝２８や排出孔２９に土砂などが流入するのを防ぐことができ、遮断壁３１によっても遮断する効果を発揮する。図３においてオーバーフローにより養液４３や水が排出される液通路３２を矢印で示す。
【００２４】
本発明の使用の一例を説明する。
図８に示すように、複数の本体１をプラントやビニールハウス内で使用することができるように適宜長さに連接する。連接した本体１の端部から土砂などが流出しないように、本体１の長手方向の開口部に側壁７、７を配置する。このようにして適宜の長さを有し、途中では仕切りのないプランターからなる栽培床を構成することができる。Ｕ字状の仕切りのない適宜長さを有する長いプランターからなる栽培床となれば、耕作機で土壌を耕作する場合に、仕切りごとに耕作機を止める必要がなく、連続駆動させたままで効率のよい耕作、栽培が可能となる。
【００２５】
プランターの各本体１には供給孔２７、排出孔２８がそれぞれ形成されており、各孔に液管４１が取り付けられているので、養液や水を供給する場合にあたっては、供給槽からポンプを通じて養液４３や水が一定水圧をかけた状態で液管４１を経て供給孔２７、本体１に供給される。
つまり、適宜長さのプランターが形成されるが、養液４３や水の供給、排出は本体ごとに行われる。
【００２６】
一定水圧が付加された養液４３や水はＵ字状の本体に水深が一定深さの状態を維持するように供給される。前述したように、養液４３や水は垂下壁２３の下側から開放部２４内に流入し、さらに遮断壁３１をオーバーフローして排出溝２９に流出して排出孔２８により排出される。排出された養液４３や水は液管４１を通り、排出槽へ送られる。
このように本体１ごとに養液４３や水の供給、排出を行うことにより、養液４３や水と成長の度合いなど詳細な育成データに基づき、配分量、供給時間などを変えてプランターの被栽培物４４の適正な育成をなしうることが可能になる。
また、本体１への養液４３の供給をコンピューター制御によりなされることも可能である。
【００２７】
図４に、本体１に被栽培物４４を植えている状態を示す。
この場合には、本体１の底面部２上に土壌支持体２５を載置し、その上に土壌４２を載せる。養液４３や水は供給孔２８から土壌支持体２５の上面付近から土壌４２の底にかかる程度まで供給される。土壌４２の底に供給された養液４３や水は土壌４２の毛細管現象により上方に吸い上げられ、被栽培物４４に供給される。
図４において、養液４３や水が毛細管現象により上方に吸い上げられ、被栽培物４４に供給される状態を矢印で示す。
なお、土壌支持体２５の上面が垂下壁２３の下端とほぼ同じ高さに位置させることで、土壌や土砂が排出孔２８や排出溝２９へ流入するのを防止することができる。
【図面の簡単な説明】
【００２８】
【図１】図１は、本発明の一例を示す斜視図である。
【図２】図２は、本体の底面部のみの断面図である。
【図３】図３は、本体を連接した状態を示す遮蔽部付近のみの拡大断面図である。
【図４】図４は、使用状態を示す遮蔽部付近のみの拡大断面図である。
【図５】図５は、図１のＡ−Ａ線拡大断面図である。
【図６】図６は、図１のＢ−Ｂ線拡大断面図である。
【図７】図７は、図１のＣ−Ｃ線拡大断面図である。
【図８】図８は、本体を連結した状態を示す斜視図である。
【符号の説明】
【００２９】
１…本体
２…底面部
３…側面部
４…底リブ
５…連接雄部
６…連接雌部
７…側壁
８…傾斜面
９…張出部
１０…遮蔽部
２１…垂直壁
２２…横壁
２３…垂下壁
２４…開放部
２５…土壌支持体
２６…供給溝
２７…供給孔
２８…排出孔
２９…排出溝
３０…中央溝
３１…遮断壁
３２…液通路
４１…液管
４２…土壌
４３…養液
４４…被栽培物
【図１】
0004722729.tif 000002
【図２】
0004722729.tif 000003
【図３】
0004722729.tif 000004
【図４】
0004722729.tif 000005
【図５】
0004722729.tif 000006
【図６】
0004722729.tif 000007
【図７】
0004722729.tif 000008
【図８】
0004722729.tif 000009